(57)【要約】【課題】構成の簡素化を図ることができ、かつ高精度の位置決めを行うことのできるスライド機構を提供する。【解決手段】左右方向に長いガイド部材に沿ってスライド部材を移動固定自在に備えたスライド機構であって、前記ガイド部材３に備えた左右方向のＶ溝１１Ｆに係合して前記スライド部材５を左右方向に移動自在に支持する移動係合部材１９と、前記Ｖ溝１１Ｆに係合して前記スライド部材５の上下方向及び前後方向の位置決めを行うための位置決め用係合部材１７とを前記スライド部材５に備え、前記移動係合部材１９及び前記位置決め用係合部材１７が前記Ｖ溝１１Ｆと係合する係合面は、断面形状が円弧状の曲面である。【選択図】図３
2015044203.tif 000002
【特許請求の範囲】
【請求項１】
左右方向に長いガイド部材に沿ってスライド部材を移動固定自在に備えたスライド機構であって、前記ガイド部材に備えた左右方向のＶ溝に係合して前記スライド部材を左右方向に移動自在に支持する移動係合部材と、前記Ｖ溝に係合して前記スライド部材の上下方向及び前後方向の位置決めを行うための位置決め用係合部材とを前記スライド部材に備えていることを特徴とするスライド機構。
【請求項２】
請求項１に記載のスライド機構において、前記移動係合部材及び前記位置決め用係合部材が前記Ｖ溝と係合する係合面は、断面形状が円弧状の曲面であることを特徴とするスライド機構。
【請求項３】
請求項１又は２に記載のスライド機構において、前記位置決め用係合部材は前記スライド部材に一体的に固定してあり、前記移動係合部材は前記位置決め用係合部材に対して前後動自在かつ前記位置決め用係合部材に対して前記Ｖ溝方向へ突出すべく付勢してあることを特徴とするスライド機構。
【請求項４】
請求項１，２又は３に記載のスライド機構において、前記移動係合部材は、前記位置決め用係合部材の左右両側又は前記位置決め用係合部材の中央部に配置してあり、かつ移動係合部材の左右方向の長さは、前記位置決め用係合部材の左右方向の長さよりも短く或いはほぼ等しい長さに形成してあることを特徴とするスライド機構。
【請求項５】
請求項１〜４のいずれかに記載のスライド機構において、前記Ｖ溝は前記ガイド部材の前面に備えられており、前記ガイド部材の後面に形成した別個の左右方向のＶ溝に、前記スライド部材に備えた固定用移動部材を左右方向へ移動自在かつ当該Ｖ溝を前方向へ押圧可能に係合してあることを特徴とするスライド機構。
【請求項６】
請求項１〜５のいずれかに記載のスライド機構を備えたプレスブレーキのバックゲージ装置であって、前記ガイド部材は、プレスブレーキにおいて前後動自在なストレッチであって、このストレッチに、前記スライド部材としての複数の突当て支持部材を左右方向へ位置決め自在に備え、この突当て支持部材の前側に、ワークの位置決めを行うための突当て部材を上下に回動可能に備えていることを特徴とするバックゲージ装置。
【発明の詳細な説明】
【技術分野】
【０００１】
本発明は、左右方向に長いガイド部材にスライド部材を移動固定自在に備えたスライド機構及び当該スライド機構を備えたプレスブレーキのバックゲージ装置に関する。さらに詳細には、前記ガイド部材に形成した左右方向のＶ溝に係合して前記スライド部材の上下方向及び前後方向の位置決めを行う位置決め用係合部材と、前記スライド部材の左右方向への移動時に、前記Ｖ溝に係合して前記スライド部材を左右方向に案内する移動係合部材とを前記スライド部材に備えたスライド機構及びバックゲージ装置に関する。
【背景技術】
【０００２】
よく知られているように、プレスブレーキにおけるバックゲージ装置には左右方向に長いストレッチが前後方向へ移動位置決め自在に備えられている。そして、前記ストレッチには、ワークの前後方向の位置決めを行うための複数の突当て部材が左右方向へ移動位置決め自在に備えられている。前記ストレッチと突当て部材との関係は一種のスライド機構を構成している（例えば特許文献１参照）。
【先行技術文献】
【特許文献】
【０００３】
【特許文献１】特開２０１０−１６２５５８号公報
【発明の概要】
【発明が解決しようとする課題】
【０００４】
前記特許文献１に記載のストレッチと突当て部材との関係のスライド機構は、左右方向に長いガイド部材としてのストレッチの前後両側に、リニア・モーション・ガイドを備えた構成である。すなわち、前記ストレッチの前後両側に左右方向に長いＹ軸ガイドをそれぞれ備え、このＹ軸ガイドに、スライド部材としてのＹ軸スライダが移動自在に支持されている。そして、上記Ｙ軸スライダに、ワークの前後方向の位置決めを行うための突当て部材を一体的に取付けた構成である。
【０００５】
したがって、前記構成のごときスライド機構においては、ガイド部材としてのストレッチに対して、スライド部材としてのＹ軸スライダを左右方向に円滑に移動することができる。そして、前記構成においては、ガイド部材に対するスライド部材の位置的関係を高精度に維持することができる。
【０００６】
しかし、前記構成においては、左右方向に長いガイド部材の前後両側にＹ軸ガイドを備え、かつ当該Ｙ軸ガイドにＹ軸スライダを備えた構成であるから、構成が複雑であると共に、高精度に加工したＹ軸ガイド及びＹ軸スライダを備えることにより、高価な構成とならざるを得ない、という問題がある。
【課題を解決するための手段】
【０００７】
本発明は、前述のごとき問題に鑑みてなされたもので、左右方向に長いガイド部材に沿ってスライド部材を移動固定自在に備えたスライド機構であって、前記ガイド部材に備えた左右方向のＶ溝に係合して前記スライド部材を左右方向に移動自在に支持する移動係合部材と、前記Ｖ溝に係合して前記スライド部材の上下方向及び前後方向の位置決めを行うための位置決め用係合部材とを前記スライド部材に備えていることを特徴とするものである。
【０００８】
また、前記スライド機構において、前記移動係合部材及び前記位置決め用係合部材が前記Ｖ溝と係合する係合面は、断面形状が円弧状の曲面であることを特徴とするものである。
【０００９】
また、前記スライド機構において、前記位置決め用係合部材は前記スライド部材に一体的に固定してあり、前記移動係合部材は前記位置決め用係合部材に対して前後動自在かつ前記位置決め用係合部材に対して前記Ｖ溝方向へ突出すべく付勢してあることを特徴とするものである。
【００１０】
また、前記スライド機構において、前記移動係合部材は、前記位置決め用係合部材の左右両側又は前記位置決め用係合部材の中央部に配置してあり、かつ移動係合部材の左右方向の長さは、前記位置決め用係合部材の左右方向の長さよりも短く或いはほぼ等しい長さに形成してあることを特徴とするものである。
【００１１】
また、前記スライド機構において、前記Ｖ溝は前記ガイド部材の前面に備えられており、前記ガイド部材の後面に形成した別個の左右方向のＶ溝に、前記スライド部材に備えた固定用移動部材を左右方向へ移動自在かつ当該Ｖ溝を前方向へ押圧可能に係合してあることを特徴とするものである。
【００１２】
また、前記スライド機構を備えたプレスブレーキのバックゲージ装置であって、前記ガイド部材は、プレスブレーキにおいて前後動自在なストレッチであって、このストレッチに、前記スライド部材としての複数の突当て支持部材を左右方向へ位置決め自在に備え、この突当て支持部材の前側に、ワークの位置決めを行うための突当て部材を上下に回動可能に備えていることを特徴とするものである。
【発明の効果】
【００１３】
本発明においては、左右方向に長いガイド部材に沿って移動自在なスライド部材に、前記ガイド部材に形成した左右方向のＶ溝に移動自在に係合してガイド部材を支持する移動係合部材と、前記Ｖ溝に係合してスライド部材の位置決めを行う位置決め用係合部材とを備えた構成であるから、スライド機構の簡素化を図ることができると共に、ガイド部材に対するスライド部材の左右方向への移動を円滑に行うことができるものである。
【図面の簡単な説明】
【００１４】
【図１】本発明の実施形態に係るスライド機構の１種としての、プレスブレーキのバックゲージ装置の構成を示す側断面説明図である。
【図２】位置決め用係合部材と移動係合部材との位置的関係を示した斜視説明図である。
【図３】スライド部材の移動時と位置決め時における位置決め用係合部材と移動係合部材との状態関係を示す説明図である。
【発明を実施するための形態】
【００１５】
以下、図面を用いて本発明の実施形態について説明するに、スライド機構の１例として、プレスブレーキにおけるバックゲージ装置に適用した場合について説明する。
【００１６】
図１を参照するに、本発明の実施形態に係るスライド機構は、プレスブレーキ（図示省略）におけるバックゲージ装置１に適用してある。プレスブレーキにおけるバックゲージ装置１は、よく知られているように、左右方向（図１において紙面に垂直な方向）に長いガイド部材（ストレッチ）３を前後方向（図１において左右方向）へ移動位置決め自在に備えている。前記ガイド部材３には、スライド部材５としての複数の突当て支持部材が左右方向へ移動位置決め自在に備えられている。そして、前記スライド部材（突当て支持部材）５の前側（図１において左側）には、ワーク（図示省略）を突き当てて前後方向の位置決めを行うための突当て部材７がヒンジピン９を介して上下方向に回動可能に備えられている。
【００１７】
前記ガイド部材（ストレッチ）３に対する前記スライド部材（突当て支持部材）５の支持構成は次のごとき構成である。すなわち、前記ガイド部材３の前後両面には左右方向のＶ溝１１Ｆ，１１Ｒが形成してある。そして、前記スライド部材５は、前記ガイド部材３の上部を前後方向に横切る前後延伸部１３Ａを備えており、この前後延伸部１３Ａの前後両側には、前記ガイド部材３の前後両面に対向した垂下部１３Ｂ，１３Ｃが一体に備えられている。すなわち、前記スライド部材５は、前記ガイド部材３を前後に跨いだ形態に構成してある。
【００１８】
前記スライド部材５における前側の前記垂下部１３Ｂの後面、すなわち前記ガイド部材３の前面に対向した対向面には前記Ｖ溝１１Ｆと対向したＶ溝１５が左右方向に形成してある。このＶ溝１５の左右方向の中央部には、図２に示すように、位置決め用係合部材１７が一体的に備えられている。そして、前記位置決め用係合部材１７の左右両側には移動係合部材１９が備えられている。この移動係合部材１９は、前記位置決め用係合部材１７に対して僅かに前後動自在であって、前記ガイド部材３における前記Ｖ溝１１Ｆに係合して前記スライド部材５を前記ガイド部材３に対して左右方向へ移動自在に支持する機能を奏するものである。
【００１９】
図２に示すように、前記移動係合部材１９の左右方向の総計長さは、前記位置決め用係合部材１７の左右方向の長さよりも短く形成してある。したがって、前記移動係合部材１９をガイド部材５の前記Ｖ溝１１Ｆに係合して左右方向に移動するとき、円滑に移動することができるものである。ところで、前記位置決め用係合部材１７を左右に分割して、位置決め用係合部材１７の中央部に移動係合部材１９を配置する構成や、前記位置決め用係合部材１７の左右方向の総計長さと移動係合部材１９の左右方向の総計長さとを等しくすることも可能である。
【００２０】
なお、前記ガイド部材３に対するスライド部材５の左右方向への移動を円滑に行い、かつガイド部材３に対するスライド部材５の位置決めをより高精度に行うためには、前記移動係合部材１９の左右方向の総計長さよりも位置決め用係合部材１７の左右方向の長さが長大であることが望ましいものである。
【００２１】
前記位置決め用係合部材１７及び前記移動係合部材１９は、例えば丸棒（ピン）等によって構成してあって、前記ガイド部材３の前記Ｖ溝１１Ｆと係合する係合面は、断面形状が円形状の凸曲面に形成してある。そして、前記移動係合部材１９は、前記スライド部材５の前記垂下部１３Ｂに備えた弾性変形可能なブラケット（弾性変形部材）２１に備えられている。そして、ガイド部材３に対してスライド部材５が左右方向へ移動可能な状態においては、前記移動係合部材１９は、位置決め用係合部材１７に対して前記Ｖ溝１１Ｆ方向へ突出した状態に付勢されている。
【００２２】
前記スライド部材５の後側に備えた前記垂下部１３Ｃには、前記スライド部材５をガイド部材３に不動状態に固定するためのロック機構２３が備えられている。上記ロック機構２３は、例えば次のように構成してある。すなわち、前記ロック機構２３は、前記垂下部１３Ｃに前後動可能に螺合した中空螺子部材２５を備えており、この中空螺子部材２５を前後方向に貫通したロッド部材２７の先端部には、前記ガイド部材３における前記Ｖ溝１１Ｒに係合したピン等のごとき係合部材２９を備えたホルダブロック３１が一体的に備えられている。そして、前記ロッド部材２７の後端部に形成した螺子部にはロックナット３３が螺合してある。
【００２３】
したがって、前記ロックナット３３を緩めた状態において中空螺子部材２５を適宜の工具（例えばレンチ）によって回転すると、中空螺子部材２５は垂下部１３Ｃに対して前後方向（図１において左右方向）に移動されることになる。この際、前記中空螺子部材２５の前後動に対応して前記ロッド部材２７、係合部材２９及びホルダブロック３１が一体的に前後動されることになる。そして、前記ロックナット３３を締め付けると、中空螺子部材２５とロッド部材２７とが一体的に固定されるものである。
【００２４】
以上のごとき構成において、ガイド部材３に対してスライド部材５が左右方向へ移動可能なように、前記ロック機構２３における中空螺子部材２５を左方向に回動して、前記垂下部１３Ｃに対して僅かに後方向（図１においての右方向）に移動すると、スライド部材５は、重心位置の関係により、図１において反時計回り方向に僅かに回動することになる。上述のように、ガイド部材３に対してスライド部材５が左右方向へ移動可能な状態においては、後側の前記係合部材２９はＶ溝１１Ｒに係合した状態にある。
【００２５】
そして、前側の前記位置決め用係合部材１７は図３（Ａ）に示すように、Ｖ溝１１Ｆに対して浮いた状態、すなわち非接触状態にある。また、前記移動係合部材１９は、図３（Ａ）に示すように、Ｖ溝１１Ｆの下部側斜面１１ＬＳに接触した状態にある。この状態において、ガイド部材３に対してスライド部材５を左右方向に移動すると、移動係合部材１９は、Ｖ溝１１Ｆにおける下部側斜面１１ＬＳに対して摺動することになる。
【００２６】
前記ガイド部材３に対してスライド部材５を左右方向に移動位置決めした後、前記ロック機構２３における中空螺子部材２５を、締付ける方向に回動し図１において左方向へ移動して、係合部材２９をＶ溝１１Ｒに押し付けると、反力によってスライド部材５は、図１において右方向に移動することになる。したがって、移動係合部材１９はＶ溝１１Ｆにおける下部側斜面１１ＬＳに沿って次第に上昇し、上部側斜面１１ＵＳに接触することになる。
【００２７】
上述のように、Ｖ溝１１Ｆにおける上下の斜面１１ＵＳ，１１ＬＳに対して移動係合部材１９が接触した状態にあるときに、前記中空螺子部材２５を、図１においてさらに左方向に移動すると、弾性変形部材（ブラケット）２１が弾性変形されて、位置決め用係合部材１７がＶ溝１１Ｆの上下の斜面１１ＵＳ，１１ＬＳに接触し押圧されることになる。したがって、位置決め用係合部材１７及び移動係合部材１９が、図３（Ｂ）に示すように、Ｖ溝１１Ｆに係合し、Ｖ溝１１Ｆにおける上下の斜面１１ＵＳ，１１ＬＳによって上下方向の位置が規制されると共に、後方向（図１において右方向）の位置が規制されることになる。
【００２８】
すなわち、前述のように、Ｖ溝１１Ｆに対して位置決め用係合部材１７が係合すると、スライド部材５及び突当て部材７は、ガイド部材３に対して前後方向及び上下方向の位置決めが正確に行われることになるものである。そして、ロック機構２３におけるロックナット３３を締付けることにより、スライド部材５をガイド部材３に不動状態に固定することができるものである。
【００２９】
既に理解されるように、ガイド部材３に対してスライド部材５を左右方向に移動するときには、移動係合部材１９がＶ溝１１Ｆの下部側斜面１１ＬＳに接触した状態にある。そして、位置決め用係合部材１７は、Ｖ溝１１Ｆにおける上下の斜面１１ＵＳ，１１ＬＳに非接触状態にある。したがって、移動係合部材１９には摺動に起因する摩耗が生じるものの、位置決め用係合部材１７には摺動に起因する摩耗が生じるようなことはないものである。よって、前記位置決め用係合部材１７の形状を常に高精度に維持できるものであり、前記ガイド部材３に対するスライド部材５の位置決めを高精度に行うことができるものである。
【００３０】
前述のごとき説明から理解されるように、ガイド部材３における前後両面に左右方向のＶ溝１１Ｆ，１１Ｒを形成することによって、スライド部材５を左右方向に案内するガイド部を構成するものであるから、従来のように、ガイド部の構成としてリニア・モーション・ガイド（Ｌ．Ｍ．Ｇ）を備える場合に比較して、構成の簡素化及び低価格化を図ることができるものである。
【００３１】
また、前記Ｖ溝１１Ｆに係合してスライド部材５の位置決めを行う位置決め用係合部材１９は摺動に起因する摩耗を生じることなく、形状を常に高精度に維持できるので、前記位置決め用係合部材１９をＶ溝１１Ｆに係合してのスライド部材５の位置決めを高精度に行い得るものである。
【符号の説明】
【００３２】
１  スライド機構（バックゲージ装置）
３  ガイド部材（ストレッチ）
５  スライド部材（突当て支持部材）
７  突当て部材
１１Ｆ，１１Ｆ  Ｖ溝
１１ＬＳ  下部側斜面
１１ＵＳ  上部側斜面
１３Ａ  前後延伸部
１３Ｂ，１３Ｃ  垂下部
１７  位置決め用係合部材
１９  移動係合部材
２１  ブラケット（弾性変形部材）
２３  ロック機構
【図１】
2015044203.tif 000003
【図２】
2015044203.tif 000004
【図３】
2015044203.tif 000005